(57)【要約】【課題】携帯型電子機器が落下時の衝撃を受ける前に、内蔵した磁気ディスク装置の磁気ヘッドを所定の退避領域に退避させ、磁気ディスク装置を保護する機構を提供する。【解決手段】支持状態検出部２は携帯型電子機器１を支持し、落下時に検知信号７を出力する。制御部３は検知信号７を受けて退避信号８を出力する。磁気ディスク装置４は退避信号８により磁気ヘッド部５を磁気ディスク媒体６に設けた退避領域に退避させる。【選択図】　　　図１
2004111051.tif 000002
【特許請求の範囲】
【請求項１】
　携帯型電子機器の磁気ディスク装置保護機構であって、前記携帯型電子機器の設置面に取り付けられた複数の支持状態検出手段と、前記複数の支持状態検出手段の検知信号から前記携帯型電子機器が設置されていないことを判断し、前記携帯型電子機器に内蔵された磁気ディスク装置の磁気ヘッドを所定の退避領域に移動させる退避制御手段とを備えることを特徴とする携帯型電子機器の磁気ディスク装置保護機構。
【請求項２】
　携帯型電子機器の磁気ディスク装置保護機構であって、前記携帯型電子機器の設置面に取り付けられた支持状態検出手段と、前記支持状態検出手段の検知信号から前記携帯型電子機器が設置されていないことを判断し、前記携帯型電子機器に内蔵された磁気ディスク装置の磁気ヘッドを所定の退避領域に移動させる退避制御手段とを備えた携帯型電子機器の磁気ディスク装置保護機構であって、
　前記支持状態検出手段として、重量変化を検出する重量感知センサを用いたことを特徴とする携帯型電子機器の磁気ディスク装置保護機構。
【請求項３】
　前記支持状態検出手段として、導電性ゴムによるスイッチを用いたことを特徴とする請求項２記載の携帯型電子機器の磁気ディスク装置保護機構。
【請求項４】
　磁気ディスク装置保護機構を備えた携帯型電子機器であって、前記携帯型電子機器の設置面に取り付けられた複数の支持状態検出手段と、前記複数の支持状態検出手段の検知信号から前記携帯型電子機器が設置されていないことを判断し、前記携帯型電子機器に内蔵された磁気ディスク装置の磁気ヘッドを所定の退避領域に移動させる退避制御手段とを備えることを特徴とする磁気ディスク装置保護機構を備えた携帯型電子機器。
【請求項５】
　磁気ディスク装置保護機構を備えた携帯型電子機器であって、前記携帯型電子機器の設置面に取り付けられた支持状態検出手段と、前記支持状態検出手段の検知信号から前記携帯型電子機器が設置されていないことを判断し、前記携帯型電子機器に内蔵された磁気ディスク装置の磁気ヘッドを所定の退避領域に移動させる退避制御手段とを備えた磁気ディスク装置保護機構を備えた携帯型電子機器であって、
　前記支持状態検出手段として、重量変化を検出する重量感知センサを用いたことを特徴とする磁気ディスク装置保護機構を備えた携帯型電子機器。
【請求項６】
　前記支持状態検出手段として、導電性ゴムによるスイッチを用いたことを特徴とする請求項５記載の磁気ディスク装置保護機構を備えた携帯型電子機器。
【請求項７】
　磁気ディスク装置であって、前記磁気ディスク装置の支持状態を検出する複数の支持状態検出手段と、前記複数の支持状態検出手段の検知信号から前記携帯型電子機器が設置されていないことを判断し、前記携帯型電子機器に内蔵された磁気ディスク装置の磁気ヘッドを所定の退避領域に移動させる退避制御手段とを備えることを特徴とする磁気ディスク装置。
【請求項８】
　磁気ディスク装置であって、前記磁気ディスク装置の支持状態を検出する支持状態検出手段と、前記支持状態検出手段の検知信号から前記携帯型電子機器が設置されていないことを判断し、前記携帯型電子機器に内蔵された磁気ディスク装置の磁気ヘッドを所定の退避領域に移動させる退避制御手段とを備えた磁気ディスク装置であって、
　前記支持状態検出手段として、重量変化を検出する重量感知センサを用いたことを特徴とする磁気ディスク装置。
【請求項９】
　前記支持状態検出手段として、導電性ゴムによるスイッチを用いたことを特徴とする請求項８記載の磁気ディスク装置。
【発明の詳細な説明】
【技術分野】
【０００１】
　本発明は磁気ディスク装置の保護機構に関し、特に携帯型電子機器に内蔵した磁気ディスク装置保護機構に関する。
【背景技術】
【０００２】
　近年、各種の携帯型電子機器に記憶装置として磁気ディスク装置が内蔵されている。通常、たとえばノートパソコン等の携帯型電子機器は、操作者が机上に設置して利用する。またハンディターミナル等の携帯型電子機器は操作者が把持して利用する。
【０００３】
　従来、携帯型電子機器の動作時に、操作者が誤って落下させたような場合の、携帯型電子機器に内蔵された磁気ディスク装置の保護機構として、磁気ヘッドにＡＥセンサを付加し、外部からの衝撃等による磁気ヘッドと磁気ディスク媒体のとの異常接触を検知し、あるいは磁気ヘッドのトラックトレース異常によって携帯型電子機器の落下を検知し、これにより磁気ヘッドを所定の退避領域に退避させている（例えば、特許文献１参照）。
【０００４】
　さらに落下時の衝撃を受ける前に磁気ディスク装置の磁気ヘッドを所定の退避領域に退避させる磁気ディスク装置の保護機構がある。この磁気ディスク装置の保護機構は、携帯型電子機器に実装した磁気ディスク装置の下端部に分散して取り付けられ、かつ磁気ディスク装置の変位を回転する記録媒体のジャイロ効果により、磁気ディスク装置の重量変化として検出する複数の圧力センサと、これらの圧力センサから出力する検知信号により携帯型電子機器に内蔵された磁気ディスク装置が傾斜したことを判断し、磁気ヘッドを退避領域に移動させるものである（例えば、特許文献２参照）。
【０００５】
【特許文献１】特開昭６４−０７１３７２号公報
【特許文献２】特開平６−２０３５０５号公報（第２−３頁、図１）
【発明の開示】
【発明が解決しようとする課題】
【０００６】
　上述した従来の携帯型電子機器の磁気ディスク装置保護機構、磁気ディスク装置保護機構を備えた携帯型電子機器及び磁気ディスク装置は、携帯型電子機器が動作中に誤って落下した時、床等に接地して衝撃が発生して保護機構が動作するため、磁気ヘッドが退避領域に退避する前に加わった衝撃により、磁気ヘッドや磁気ディスク媒体を損傷させるという欠点があった。
【０００７】
　また従来の携帯型電子機器の磁気ディスク装置保護機構、磁気ディスク装置保護機構を備えた携帯型電子機器及び磁気ディスク装置は、携帯型電子機器の設置状態の有無を直接検出ものでなく、内蔵した磁気ディスク装置の回転する記録媒体のジャイロ効果により発生する重量変化を、磁気ディスク装置の下端部に分散して取り付けられた圧力センサで検出して磁気ディスク装置が傾斜したことを判断していたため、磁気ディスク装置の設置異常を検出する方法が複雑でコスト高であると欠点があった。
【０００８】
　さらに、携帯型電子機器が動作中に落下しなくとも、通常の動作時での僅かな傾斜でも頻繁に磁気ヘッドが退避領域に退避するという欠点があった。
【０００９】
　本発明の目的は、携帯型電子機器の設置状態や把持状態を直接検出して落下した携帯型電子機器に衝撃が加わる前に磁気ヘッドの退避を開始することにより、磁気ヘッドの退避時間を確保し落下等の衝撃から磁気ディスク装置を保護する機構を提供することにある。
【課題を解決するための手段】
【００１０】
　本発明の携帯型電子機器の磁気ディスク装置保護機構、磁気ディスク装置保護機構を備えた携帯型電子機器及び磁気ディスク装置は、
　携帯型電子機器の磁気ディスク装置保護機構、磁気ディスク装置保護機構を備えた携帯型電子機器及び磁気ディスク装置であって、前記携帯型電子機器の設置面に取り付けられた複数の支持状態検出手段と、前記複数の支持状態検出手段の検知信号から前記携帯型電子機器が設置されていないことを判断し、前記携帯型電子機器に内蔵された磁気ディスク装置の磁気ヘッドを所定の退避領域に移動させる退避制御手段とを備えることを特徴としている。
【００１１】
　携帯型電子機器の磁気ディスク装置保護機構、磁気ディスク装置保護機構を備えた携帯型電子機器及び磁気ディスク装置であって、前記携帯型電子機器の設置面に取り付けられた支持状態検出手段と、前記支持状態検出手段の検知信号から前記携帯型電子機器が設置されていないことを判断し、前記携帯型電子機器に内蔵された磁気ディスク装置の磁気ヘッドを所定の退避領域に移動させる退避制御手段とを備えた携帯型電子機器の磁気ディスク装置保護機構、磁気ディスク装置保護機構を備えた携帯型電子機器及び磁気ディスク装置であって、
　前記支持状態検出手段として、重量変化を検出する重量感知センサを用いたことを特徴としている。
【００１２】
　また、前記支持状態検出手段として、導電性ゴムによるスイッチを用いたことを特徴としている。
【００１３】
　前記携帯型電子機器の把持部に取り付けられた把持状態検出手段と、前記把持状態検出手段の検知信号から前記携帯型電子機器が落下したことを判断し、前記携帯型電子機器に内蔵された磁気ディスク装置の磁気ヘッドを所定の退避領域に移動させる退避制御手段とを備えることを特徴としている。
【００１４】
　前記把持状態検出手段として、圧力センサによるスイッチを用いたことを特徴としている。
【００１５】
　また、前記把持状態検出手段として、導電性ゴムによるスイッチを用いたことを特徴としている。
【発明の効果】
【００１６】
　以上説明したように、本発明の携帯型電子機器の磁気ディスク装置保護機構、磁気ディスク装置保護機構を備えた携帯型電子機器及び磁気ディスク装置は、携帯型電子機器の設置面に支持状態検出部を、または把持部に把持状態検出部を備えることにより、携帯型電子機器を誤って落下させた時に、携帯型電子機器の支持状態または把持状態の消失を瞬時に安定に検出し、検知信号により瞬時に制御部から内蔵された磁気ディスク装置の磁気ヘッド部の磁気ヘッドを所定の退避領域に退避させるので、携帯型電子機器の落下時に内蔵する磁気ディスク装置に衝撃が加わる前に磁気ヘッドを所定の退避領域に退避させることができるという効果を有している。
【００１７】
　さらに携帯型電子機器の落下によって内蔵された磁気ディスク装置の磁気ディスク媒体や磁気ヘッドの損傷を受けるのを未然に防止できるという効果を有している。
【発明を実施するための最良の形態】
【００１８】
　次に、本発明の実施の形態について図面を参照して説明する。
【００１９】
　図１は本発明の携帯型電子機器の磁気ディスク装置保護機構、磁気ディスク装置保護機構を備えた携帯型電子機器及び磁気ディスク装置の一つの実施の形態を示すブロック図である。
【００２０】
　図１に示す本実施の形態は、携帯型電子機器１の支持状態検出部２と、支持状態検出部２からの検出信号７を受けて退避信号８により磁気ヘッド部５を所定の退避領域に退避させる磁気ディスク装置４とから構成される。
【００２１】
　次に、本実施の形態の動作について説明する。
【００２２】
　携帯型電子機器１の動作中は、支持状態検出部２からの検知信号７が常時、制御部３に入力されている。このとき、操作者が誤って携帯型電子機器１を机上等から落下させた場合、検知信号７の変化により制御部３は携帯型電子機器１に内蔵された磁気ディスク装置４の磁気ヘッド部５を所定の退避領域に退避させる退避信号８を出力する。磁気ディスク装置の退避領域はリトラクトポジションと呼ばれ、電源遮断や落下時等の緊急事態に磁気ヘッド部５の磁気ヘッドが退避する領域で、通常は磁気ディスク媒体６の内周域に設けられている。
【００２３】
　このように携帯型電子機器１を操作者が誤って落下させた場合、瞬時に机上等からの設置が失われたことを支持状態検出部２が検知し、検知信号７の変化により制御部３は磁気ディスク装置４のヘッド位置決め手段（図示せず）に退避信号８を出力する。従って、携帯型電子機器１が床等に落下し内蔵された磁気ディスク装置４に衝撃が加わる前に、磁気ディスク媒体６のデータ記録領域から退避領域に退避できるので、磁気ディスク媒体６と磁気ヘッド部５の磁気ヘッドの損傷を防止することができる。
【００２４】
　図２は図１の携帯型電子機器に取り付けられた支持状態検出部を示す図である。
【００２５】
　図２を参照すると、携帯型電子機器１は設置面９を水平に支持され、支持状態検出部２、２ａ、２ｂ、２ｃを設置面９に取り付けている。この図では携帯型電子機器１の設置面９に分散して支持状態検出部を４個取り付けた場合を示しているが、必ずしも個数は４個に限定されず、単一でも４個を除く複数でもよい。支持状態検出部２、２ａ、２ｂ、２ｃは、設置面９の支持が失われた場合、完全にオンか、オフの状態になるスイッチを用いることが好ましい。
【００２６】
　支持状態検出部を複数個備えることにより、机上等に設置した時の多少の傾斜や、一部の支持状態検出部が机上から離れていても、操作中に磁気ディスク装置保護機構が働かないようにすることができる利点がある。携帯型電子機器１が落下した場合、複数の支持状態検出部２の支持状態が全て失われたことを判断して、制御部３から磁気ディスク装置４の磁気ヘッド部５の駆動部に退避信号８を送出すればよい。
【００２７】
　支持状態検出部２、２ａ、２ｂ、２ｃに用いるスイッチとして機械的なスイッチや導電性ゴムを用いた重量や圧力を受けて働く重量感知センサによるスイッチを利用する。
【００２８】
　図３は本発明の第２の実施の形態を示す外観図である。
【００２９】
　図３を参照すると、操作者が把持して使用する形式の携帯型電子機器１０を動作中に落下させた場合の検出手段として、携帯型電子機器１０の把持部１１に把持状態検出部１２を備えている。携帯型電子機器１０が操作者により把持して使用される場合は、第１の実施の形態で示した携帯型電子機器の支持状態検出部の代わりに、落下を検出する手段として把持状態検出部１２を構成すればよい。
【００３０】
　携帯型電子機器１０を操作者が誤って落下させた場合に、携帯型電子機器１０に内蔵された磁気ディスク装置の磁気ヘッド部（図示せず）を所定の退避領域に退避させる動作は、第１の実施の形態の説明と同じなので省略する。
【００３１】
　なお、把持状態検出部１２として用いるスイッチは機械的なスイッチや導電性ゴムを用いた圧力センサによるスイッチなどを利用することができる。
【図面の簡単な説明】
【００３２】
【図１】携帯型電子機器の磁気ディスク装置保護機構、磁気ディスク装置保護機構を備えた携帯型電子機器及び磁気ディスク装置の一つの実施の形態を示すブロック図である。
【図２】図１の携帯型電子機器に取り付けられた支持状態検出部を示す説明図である。
【図３】本発明の第２の実施の形態を示す外観図である。
【符号の説明】
【００３３】
　１　　携帯型電子機器
　２、２ａ、２ｂ、２ｃ　　支持状態検出部
　３　　制御部
　４　　磁気ディスク装置
　５　　磁気ヘッド部
　６　　磁気ディスク媒体
　７　　検知信号
　８　　退避信号
　９　　設置面
　１０　　携帯型電子機器
　１１　　把持部
　１２　　把持状態検出部
【図１】
2004111051.tif 000003
【図２】
2004111051.tif 000004
【図３】
2004111051.tif 000005